(57)【要約】  【課題】  人体を傷つけるおそれのないヌメリ除去用部材を提供すること。  【解決手段】  上流側に位置する水栓への逆流を防止する逆止弁３と、この逆止弁３の下流側の通水路ｉに水と接触する銅製の通水部材４とを備えている。  【選択図】  図１
2005113625.tif 000002
【特許請求の範囲】
【請求項１】
上流側に位置する水栓への逆流を防止する逆止弁と、この逆止弁の下流側の通水路に水と接触するよう設けられた銅製の通水部材とを備えたことを特徴とするヌメリ除去用部材。
【請求項２】
前記通水部材は水と接触する複数の銅粒を備えている請求項１に記載のヌメリ除去用部材。
【請求項３】
前記水栓の吐出管の先端側に着脱自在に装着される請求項１または請求項２に記載のヌメリ除去用部材。
【請求項４】
前記水栓の吐出管がバスタブへの給水用のものである請求項１ないし請求項３のいずれかに記載のヌメリ除去用部材。
【請求項５】
前記水栓の吐出管の先端側に接続したホースに着脱自在に装着される請求項１ないし請求項４のいずれかに記載のヌメリ除去用部材。
【請求項６】
直下流に洗濯機用の給水ホースが接続される請求項５に記載のヌメリ除去用部材。
【発明の詳細な説明】
【技術分野】
【０００１】
この発明は、ヌメリ除去用部材に関するものである。
【背景技術】
【０００２】
銅イオンには、例えば水道水に含まれている塩素を除去する働きがあるとともに、抗菌、消臭作用の働きがあることを利用して、多数の銅繊維を絡ませて所定の形状にしたものを鎖で水栓に吊るした状態でバスタブ内に取付けて、バスタブ内のお湯の塩素を除去したり、菌の発生や臭いの発生を抑えることが行われている。
【発明の開示】
【発明が解決しようとする課題】
【０００３】
しかし、バスタブ内において、入浴者の足が前記鎖に絡みついたり、また、つまずいたりして人体を傷つけるおそれがある。
【０００４】
この発明は、人体を傷つけるおそれのないヌメリ除去用部材を提供することを目的とする。
【課題を解決するための手段】
【０００５】
上記目的を達成するために、この発明のヌメリ除去用部材は、上流側に位置する水栓への逆流を防止する逆止弁と、この逆止弁の下流側の通水路に水と接触する銅製の通水部材とを備えたことを特徴とする。
【発明の効果】
【０００６】
この発明では、水栓と銅製の通水部材との間に逆止弁を設けている（請求項１）ので、逆止弁の上流側に位置する水栓へ銅の錆が逆流するのを防止できる。
【０００７】
また、この発明では、前記銅製の通水部材は複数の銅粒を備えている（請求項２）ので、銅のイオン効果が大きい。
【０００８】
また、この発明では、水栓の吐出管の先端側に着脱自在に装着される（請求項３）。そして、ヌメリ除去用部材は、使用時には吐出管の先端側に固定されるので、前記吐出管がバスタブへの給水用のものである（請求項４）場合には、ヌメリ除去用部材をバスタブ内に設ける場合に比して人体を傷つける弊害が軽減される。
【０００９】
また、この発明では、水栓の吐出管の先端側に接続したホースに着脱自在に装着される（請求項５）ので、前記吐出管がバスタブへの給水用のものである場合は、液面下にヌメリ除去用部材を浸漬させながら水栓への逆流を防止した状態で湯張りを行うことができる。また、バスタブ内の水（湯）の塩素を銅イオンで除去し、人体に無害となるとともに、例えば、残り水（湯）にヌメリ除去用部材を長時間浸漬させることができて銅イオンの抗菌、消臭作用を大にでき、残り水（湯）での菌の発生や臭いの発生を抑えることができて残り湯での洗濯が行える。
【００１０】
また、この発明では、直下流に洗濯機用の給水ホースが接続される（請求項６）ので、菌の発生や臭いの発生を抑え、銅イオンが除去された洗濯水を洗濯に使用できる。
【発明を実施するための最良の形態】
【００１１】
以下、この発明の実施の形態について説明する。なお、この発明はそれによって限定されるものではない。
【００１２】
図１、図２は、バスタブへの給水用吐出管の先端側に着脱自在に装着されるこの発明の第１の実施形態を示す。図１、図２において、１は、バスタブへの給水用吐出管（図示せず）の先端部に取り付けられる断面略Ｌ字形状の樹脂製接続アダプターで、ヌメリ除去用部材２が取り外し可能にねじ接続されている。前記給水用吐出管は、例えば湯水混合栓の吐出口に連通可能に接続されている。前記ヌメリ除去用部材２は、給水用吐出管側への逆流を防止する機能を有する逆止弁３と、この逆止弁３の下流側の通水路ｉに水と接触するよう設けられた銅製の通水部材４とを備えている。この実施形態では、前記通水部材４は、銅繊維を多数絡ませて筒状体に成形されており、通水路ｉを流れる水との接触により銅イオンが多数発生するよう構成されている。前記通水部材４は、通水路ｉを形成する筒状のケース５内に収容されている。このケース５の上流側開口は雌ねじ部６によって形成されており、下流側開口（吐出口）７には整流板８ａを備えた整流部材８が取り付けられている。前記逆止弁３は、筒状の弁座部材９と、この弁座部材９の内周に形成されたシート部９ａに当接したり、シート部９ａから離間したりする弁体１０と、弁体１０をシート部９ａに当接するよう弁体１０を上流側に付勢するスプリング１３とを主として有し、更に、接続アダプター１との接続部である雌ねじ部分１１を弁座部材９の上流側に有するとともに、弁座部材９は、ケース５の雌ねじ部６に螺合する雄ねじ部１２を下流側に有する。
【００１３】
上記のように構成されたヌメリ除去用部材２は、湯水混合栓における給水用吐出管の先端部に接続アダプター１を介して取付けられて使用される。かかる使用状態において、入浴に先立つバスタブへの湯張り時には、スプリング１３の付勢力に抗する水流が弁体１０をシート部９ａから離間させて接続アダプター１を通る導入流路ｊが前記通水路ｉに連通して銅製の通水部材４に水が接触する。そして、通水部材４から発生した銅イオンによって水の塩素を除去し、人体に無害となる水（湯）をバスタブ内に供給できる。また、ヌメリ除去用部材２は、給水用吐出管の先端側に固定されるので、ヌメリ除去用部材をバスタブ内に設ける場合に比して人体を傷つける弊害が軽減される。
なお、上記実施形態では、筒状体に成形した通水部材４を示したが、銅繊維を多数絡ませて有底筒状に成形し、かつ、底部に整流板８ａに連通する複数の連通孔が形成された通水部材を用いてもよく、更に、この有底筒状の通水部材の内部に複数の銅粒を収容した場合には、銅粒の間を水が流れるので、上記実施形態よりも更に多数の銅イオンが発生し、銅のイオン効果を向上できる。
【００１４】
図３は、湯水混合栓における給水用吐出管の先端側に接続したホース１４に着脱自在に装着してあるこの発明の第２の実施形態を示す。なお、図３において、図１、図２に示す符号と同一のものは同一または相当物である。
【００１５】
この実施形態では、液面Ｌ下にヌメリ除去用部材２を浸漬させながら湯張りを行うことができるとともに、湯が通水部材４と接触し、発生した銅イオンによってバスタブ内の湯の塩素を除去し、人体に無害となる。また、例えば、残り湯にヌメリ除去用部材を長時間浸漬させることができて銅イオンの抗菌、消臭作用を大にでき、残り湯の菌の発生や臭いの発生を抑えることができて残り湯での洗濯が行える。また、湯水混合栓における給水用吐出管の先端部に取付けられた接続アダプター１と銅製の被接触体４との間に逆止弁３を設けているので、ヌメリ除去用部材２の浸漬中において、銅の錆が給水用吐出管側に逆流するのを防止できる。
【００１６】
図４は、湯水混合栓における給水用吐出管の先端側に接続したホース１４と洗濯機用の給水ホース１７との間に着脱自在に装着してあるこの発明の第３の実施形態を示す。なお、図４において、図１〜図３に示す符号と同一のものは同一または相当物である。
【００１７】
この実施形態では、銅製の通水部材４に水が接触する。そして、通水部材４から発生した銅イオンによって水の塩素を除去し、人体に無害となる洗濯水を洗濯に使用できる。なお、洗濯機用の給水ホース１７の代わりに散水用のホースをヌメリ除去用部材２の下流端に設けた継手２ａに接続してもよい。
【図面の簡単な説明】
【００１８】
【図１】この発明の一実施形態を示す構成説明図である。
【図２】上記実施形態の一つの使用例を示す要部斜視図である。
【図３】上記実施形態の二つ目の使用例を示す要部斜視図である。
【図４】上記実施形態の三つ目の使用例を示す要部断面図である。
【符号の説明】
【００１９】
２    ヌメリ除去用部材
３    逆止弁
４    銅製の通水部材
ｉ    通水路
【図１】
2005113625.tif 000003
【図２】
2005113625.tif 000004
【図３】
2005113625.tif 000005
【図４】
2005113625.tif 000006